(57)【要約】【課題】地面に差し込まれたアンカーが地面から容易に抜けないようにすることを実現したシート押さえ用ワッシャを提供する。【解決手段】円板部１０に、軟鋼からなる棒状部材を略Ｕ字状に折り曲げてなるアンカー５０を挿入する少なくとも２つの貫通孔２０を形成してなる、地面に敷設されたシート上に載置されるシート押さえ用ワッシャ１であって、２つの貫通孔２０は、円板部１０の表面から厚さ方向の所定部位まで延びる第１孔部２２と、第１孔部２２から、厚さ方向に対して斜め方向に延びて裏面に到達する第２孔部２４とを備える。そして、アンカー５０を２つの貫通孔２０に挿入し、地面に押し込むことにより、アンカー５０が地面に対して斜め方向に差し込まれる。【選択図】図３
2015213480.tif 000002
【特許請求の範囲】
【請求項１】
平板部材に、軟鋼からなる棒状部材を略Ｕ字状に折り曲げてなるアンカーを挿入する少なくとも２つの貫通孔を形成してなる、地面に敷設されたシート上に載置されるシート押さえ用ワッシャであって、
前記２つの貫通孔は、前記平板部材の表面から厚さ方向に延び、更に、厚さ方向の所定部位から斜め方向に延びて裏面に到達することを特徴とするシート押さえ用ワッシャ。
【請求項２】
前記貫通孔によって形成された前記平板部材の裏面側の開口は、前記平板部材の表面側の開口よりも外側に配置されていることを特徴とする請求項１記載のシート押さえ用ワッシャ。
【請求項３】
前記貫通孔によって形成された前記平板部材の裏面側の開口は、前記平板部材の表面側の開口よりも内側に配置されていることを特徴とする請求項１記載のシート押さえ用ワッシャ。
【発明の詳細な説明】
【技術分野】
【０００１】
本発明は、地面に敷設した防草シートを地面に固定する際に用いるシート押さえ用ワッシャに関する。
【背景技術】
【０００２】
従来、地面に雑草が繁茂することを防止するための手段の一つとして、防草シートを敷設することがあげられる。また、防草シートを敷設する際には、防草シートを地面に押さえ付けるための押さえ具が必要となる。
【０００３】
従来の押さえ具としては、２つの孔部が表面に形成された円板状のワッシャと、Ｕ字形のアンカーとからなるものが一般的である（特許文献１参照）。具体的には、作業者が、ワッシャを防草シートにおける地面に固定したい部位に載置し、アンカーをワッシャの２つの孔部に差し込む。これにより、アンカーが防草シートを貫通して地面に差し込まれるとともに、防草シートにおけるワッシャによって覆われた領域が、地面に密着した状態で維持される。その結果、防草シートが地面から剥がれにくくなり、地面が防草シートによって覆われた状態で長期間維持される。
【先行技術文献】
【特許文献】
【０００４】
【特許文献１】実開平３−１２６４４９号公報
【発明の概要】
【発明が解決しようとする課題】
【０００５】
しかしながら、従来のＵ字形のアンカーは、一対の棒状部分が互いに平行であるため、ワッシャに対して下から上に突き上げるような力が加わった場合に、ワッシャとともにアンカーが上方に移動し、アンカーが地面から抜けてしまうおそれがある。例えば、強風時に、防草シートと地面との隙間に風が流入した場合、防草シートが風圧によって上方に浮き上がろうとする。この際、ワッシャが防草シートから下から上に突き上げるような力を受けるようになり、アンカーが地面から抜けてしまうおそれがある。
【０００６】
本発明は、このような問題を解決し、アンカーが地面から容易に抜けないようにすることを実現したシート押さえ用ワッシャを提供することを目的とする。
【課題を解決するための手段】
【０００７】
前記目的を達成するため、本発明は、次に記載する構成を備えている。
【０００８】
（１）  平板部材に、軟鋼からなる棒状部材を略Ｕ字状に折り曲げてなるアンカーを挿入する少なくとも２つの貫通孔を形成してなる、地面に敷設されたシート上に載置されるシート押さえ用ワッシャであって、前記２つの貫通孔は、前記平板部材の表面から厚さ方向に延び、更に、厚さ方向の所定部位から斜め方向に延びて裏面に到達することを特徴とするシート押さえ用ワッシャ。
【０００９】
（２）  （１）において、前記貫通孔によって形成された前記平板部材の裏面側の開口は、前記平板部材の表面側の開口よりも外側に配置されていることを特徴とするシート押さえ用ワッシャ。
【００１０】
（３）  （１）において、前記貫通孔によって形成された前記平板部材の裏面側の開口は、前記平板部材の表面側の開口よりも内側に配置されていることを特徴とするシート押さえ用ワッシャ。
【００１１】
（１）〜（３）によれば、シート上にシート押さえ用ワッシャを載置し、シート押さえ用ワッシャの表面から貫通孔にアンカーを差し込むことにより、アンカーは貫通孔を通過する際に屈曲し、シート押さえ用ワッシャの裏面から斜め方向に延びる。このため、シートを貫通したアンカーは、斜め方向に埋設される。これにより、シート押さえ用ワッシャに対して下から上に突き上げるような力が加わった場合に、アンカーが上方に移動しようとする際の抵抗が大きくなり、アンカー及びシート押さえ用ワッシャが上方に移動しにくくなるため、地面を防草シートで覆った状態を安定して保つことが可能になる。
【発明の効果】
【００１２】
本発明によれば、地面に差し込まれたアンカーが地面から容易に抜けないことにより、防草シートで地面を覆った状態を安定して保つことが可能になる。
【図面の簡単な説明】
【００１３】
【図１】本発明の一実施形態におけるシート押さえ用ワッシャ１の外観を示す斜視図である。
【図２】本発明の一実施形態におけるシート押さえ用ワッシャ１の外観を示す説明図である。
【図３】本発明の本実施形態のシート押さえ用ワッシャ１の使用方法を示す説明図である。
【図４】シート押さえ用ワッシャ１とアンカー５０とを用いて防草シート１００を地面に固定した状態を示す説明図である。
【図５】本発明の他の実施形態におけるシート押さえ用ワッシャ１を示す下面図である。
【図６】本発明の他の実施形態におけるシート押さえ用ワッシャ１を示す下面図である。
【発明を実施するための形態】
【００１４】
以下、本発明の実施形態について、図面を参照しながら詳細に説明する。
図１は、本発明の一実施形態におけるシート押さえ用ワッシャ１の外観を示す斜視図、図２は、本発明の一実施形態におけるシート押さえ用ワッシャ１の外観を示す説明図であり、図２（ａ）は表面側を示す上面図、図２（ｂ）は図２（ａ）のＡＡ線断面図、図２（ｃ）は下面図である。
【００１５】
シート押さえ用ワッシャ１は、平板部材に相当する円板部１０と、円板部１０における２箇所に形成された貫通孔２０、２０と、を備えている。
【００１６】
円板部１０は、直径８０ｍｍ、厚さ１５ｍｍの硬質の樹脂あるいは金属からなる板状部材である。円板部１０の表面側の縁部には、図１及び図２（ｂ）に示すように、面取りが施されている。シート押さえ用ワッシャ１の表面と裏面とは面取りの有無によって識別可能である。また、円板部１０の表面には、開口２２ａ、２２ａが形成されており、円板部１０の裏面には、開口２４ａ、２４ａが形成されている。
円板部１０の表面側において、２つの開口２２ａ、２２ａは、図２（ａ）に示すように、円板部１０の中心を挟むように配置されており、また、円板部１０の裏面側において、２つの開口２４ａ、２４ａは、図２（ｃ）に示すように、円板部１０の中心を挟むように配置されている。円板部１０を上面視した場合、２つの開口２２ａ、２２ａと、２つの開口２４ａ、２４ａと、円板部１０の中心とは同一直線上に配置されており、開口２２ａ、２２ａの外側に開口２４ａ、２４ａが配置されている。本実施形態によれば、開口２２ａ、２２ａの間隔は４４ｍｍに設定されており、開口２４ａ、２４ａの間隔は４４ｍｍよりも長く設定されている。
【００１７】
貫通孔２０は、図２（ｂ）に示すように、第１孔部２２と、第２孔部２４とによって構成され、開口２２ａから開口２４ａまで繋がっている。
第１孔部２２は、円板部１０の表面に形成される開口２２ａから厚さ方向に円柱状に延びている。本実施形態によれば、表面から５ｍｍの位置まで延びている。第２孔部２４は、第１孔部２２に連続でかつ第１孔部２２に対して斜め方向に、円板部１０の裏面に形成される開口２４ａまで円柱状に延びている。本実施形態によれば、第１孔部２２及び第２孔部２４の直径は５ｍｍであり、第１孔部２２の中心軸と第２孔部２４の中心軸との角度は３０°である。
【００１８】
シート押さえ用ワッシャ１は、図１に示すように、アンカー５０とともに用いられる。アンカー５０は、軟鋼からなる円柱形の棒状部材を略Ｕ字状に折り曲げてなるものであり、中央の折り曲げ部５０ａと、折り曲げ部５０ａの両側から直線状に延びる棒状部５０ｂ、５０ｂとからなる。棒状部５０ｂ、５０ｂは互いに平行である。
【００１９】
アンカー５０の太さは、第１孔部２２及び第２孔部２４よりも小さい（例えば、４ｍｍ）。また、本実施形態によれば、棒状部５０ｂ、５０ｂの間隔は４４ｍｍに設定されている。このため、アンカー５０の両端部は、開口２２ａ、２２ａに同時に挿入することが可能である。
【００２０】
次に、本実施形態のシート押さえ用ワッシャ１の使用方法について説明する。
まず、作業員は、図１に示すように、地面に敷かれた防草シート１００上にシート押さえ用ワッシャ１を、表面を上にして載置する。次に、作業員は、図３（ａ）に示すように、アンカー５０の両端を開口２２ａ、２２ａに挿入し、そのままアンカー５０を押し込む。アンカー５０を押し込むと、図３（ｂ）に示すように、棒状部５０ｂ、５０ｂが第１孔部２２から第２孔部２４を通過する際に曲げが施され、棒状部５０ｂ、５０ｂが開口２２ａから斜め方向に送り出される。これにより、図３（ｃ）に示すように、棒状部５０ｂ、５０ｂが地面に対して斜め方向から差し込まれる。そして、アンカー５０の折り曲げ部５０ａがシート押さえ用ワッシャ１に到達するまで、棒状部５０ｂ、５０ｂを地面に差し込む。以上の作業によって、防草シート１００がシート押さえ用ワッシャ１及びアンカー５０によって地面に固定される。
【００２１】
そして、防草シート１００の複数箇所を、シート押さえ用ワッシャ１とアンカー５０とを用いて地面に固定することにより、図４に示すように、防草シート１００の固定作業が完了する。
【００２２】
以上説明したように構成された本実施形態によれば、防草シート１００上にシート押さえ用ワッシャ１を載置し、シート押さえ用ワッシャ１の表面から貫通孔２０、２０にアンカー５０を差し込むことにより、アンカー５０は貫通孔２０、２０を通過する際に屈曲し、シート押さえ用ワッシャ１の裏面から斜め方向に延びる。このため、防草シート１００を貫通したアンカー５０は、地面に対して斜め方向に差し込まれる。これにより、シート押さえ用ワッシャ１に対して下から上に突き上げるような力が加わった場合に、アンカー５０が上方に移動しようとする際の抵抗が大きくなり、アンカー５０及びシート押さえ用ワッシャ１が上方に移動しにくくなるため、地面を防草シート１００で覆った状態を安定して保つことが可能になる。
【００２３】
以上、本発明の実施形態について説明したが、本発明に係る実施形態は、上述した実施形態に限るものではない。例えば、上述した実施形態によれば、図２（ｂ）に示すように、２つの貫通孔２０を構成する第１孔部２２と第２孔部２４が同一の仮想平面に含まれているが、本実施形態はそれに限らず、第２孔部２４は他の方向に向かって形成されてもよい。例えば、図５に示すように、第２孔部２４が、開口２２ａ、２２ａ及び円板部１０の中心を通る仮想線に対して直角方向に延び、更に、２つの貫通孔２０の第２孔部２４が互いに反対方向に延びるように形成してもよい。これにより、アンカー５０がシート押さえ用ワッシャ１に差し込まれた場合、アンカー５０の棒状部５０ｂ、５０ｂは互いに螺旋に近い斜め方向に延びるため、アンカー５０を地面から引き抜く際には、アンカー５０を回転させながら引き抜くことにより、容易に引き抜くことが可能になる。
【００２４】
あるいは、図６（ａ）に示すように、第２孔部２４、２４が円板部１０の内側に傾斜するように形成され、第２孔部２４、２４の開口２４ａ、２４ａが、第１孔部２２、２２の開口２２ａ、２２ａより内側（円板部１０の中心寄り）に配置されてもよい。図６（ａ）に示すシート押さえ用ワッシャ１にアンカー５０を挿入していく際、アンカー５０の先端同士が互いに近づいていく。この時、アンカー５０の先端同士が衝突しないように、図６（ｂ）に示すように、開口２４ａ、２４ａの形成位置を、第１孔部２２と第２孔部２４とを結ぶ仮想線に対して若干ずれた位置に配置することが望ましい。
【００２５】
また、上述した実施形態によれば、貫通孔２０の数が２つであるが、それ以上であってもよい。また、上述した実施形態によれば、略Ｕ字形のアンカー５０を差し込む例について説明したが、例えば、上端部が鉤状に形成された２本のアンカーを、２つの貫通孔２０、２０にそれぞれ挿入してもよい。
【符号の説明】
【００２６】
１      シート押さえ用ワッシャ
１０    円板部
２０    貫通孔
２２    第１孔部
２２ａ  開口
２４    第２孔部
２４ａ  開口
５０    アンカー
５０ａ  曲げ部
５０ｂ  棒状部
１００  防草シート
【図１】
2015213480.tif 000003
【図２】
2015213480.tif 000004
【図３】
2015213480.tif 000005
【図４】
2015213480.tif 000006
【図５】
2015213480.tif 000007
【図６】
2015213480.tif 000008